【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
閃光装置側へ発光開始信号を伝えるカメラ側シンクロ端子と、該カメラ側シンクロ端子を介してシンクロ端子接続確認信号を前記閃光装置へ出力する出力手段とを有することを特徴とするカメラ。
【請求項２】
閃光装置が前記シンクロ端子接続確認信号を検出可能か否かを判定する判定手段を有し、
前記出力手段は、前記判定手段が検出可能と判定した場合に、前記シンクロ端子接続確認信号を前記カメラ側シンクロ端子を介して前記閃光装置へ出力することを特徴とする請求項１に記載のカメラ。
【請求項３】
カメラ側からの発光開始信号を受ける閃光装置側シンクロ端子と、該閃光装置側シンクロ端子を介して前記カメラから入力されるシンクロ端子接続確認信号を検出する検出手段と、該検出手段にて前記シンクロ端子接続確認信号を検出できた場合は、カメラ側シンクロ端子と前記閃光装置側シンクロ端子の接続が正常と判定し、検出できない場合は、前記接続が異常と判定する接続状態判定手段とを有することを特徴とする閃光装置。
【請求項４】
前記接続状態判定手段により前記接続が異常と判定された場合に、警告を行う警告手段を有することを特徴とする請求項３に記載の閃光装置。
【請求項５】
前記シンクロ端子接続確認信号が検出可能である場合、カメラ側に当該閃光装置との接続確認が可能であることを伝達する伝達手段を有することを特徴とする請求項３又は４に記載の閃光装置。
【請求項６】
閃光装置側へ発光開始信号を伝えるカメラ側シンクロ端子と、該カメラ側シンクロ端子を介してシンクロ端子接続確認信号を出力する出力手段とを備えたカメラと、
前記カメラ側からの発光開始信号を受ける閃光装置側シンクロ端子と、該閃光装置側シンクロ端子を介して前記カメラから入力されるシンクロ端子接続確認信号を検出する検出手段と、該検出手段にてシンクロ端子接続確認信号を検出できた場合は、前記カメラ側シンクロ端子と前記閃光装置側シンクロ端子の接続が正常と判定し、検出できない場合は、前記接続が異常と判定する接続状態判定手段とを備えた閃光装置と、から構成されることを特徴とする閃光撮影システム。
【請求項７】
前記接続状態判定手段により前記接続が異常と判定された場合、警告を行う警告手段を有することを特徴とする請求項６に記載の閃光撮影システム。
【請求項８】
前記カメラは、閃光装置が前記シンクロ端子接続確認信号を検出可能か否かを判定する判定手段を有し、
前記カメラ側の前記出力手段は、前記判定手段が検出可能と判定した場合に、前記シンクロ端子接続確認信号を前記カメラ側シンクロ端子を介して前記閃光装置側へ出力することを特徴とする請求項６又は７に記載の閃光撮影システム。
【請求項９】
閃光装置に発光開始信号を伝えるカメラ側シンクロ端子と、該カメラ側シンクロ端子を介して前記閃光装置から入力されるシンクロ端子接続確認信号を検出する検出手段と、該検出手段にて前記シンクロ端子接続確認信号が検出された場合は、前記カメラ側シンクロ端子と閃光装置側シンクロ端子の接続が正常と判定し、検出できない場合は、前記接続が異常と判定する接続状態判定手段とを有することを特徴とするカメラ。
【請求項１０】
前記接続状態判定手段により前記カメラ側シンクロ端子と前記閃光装置側シンクロ端子の接続が異常と判定された場合、警告を行う警告手段を有することを特徴とする請求項９に記載のカメラ。
【請求項１１】
閃光装置から前記カメラ側シンクロ端子に対して前記シンクロ端子接続確認信号を出力可能か否かを判定する判定手段を有し、
前記検出手段は、前記判定手段が出力可能と判定した場合に、前記シンクロ端子接続確認信号の検出を行うことを特徴とする請求項９又は１０に記載のカメラ。
【請求項１２】
カメラからの発光開始信号を受ける閃光装置側シンクロ端子と、該閃光装置側シンクロ端子を介してシンクロ端子接続確認信号を前記カメラ側へ出力する出力手段とを有することを特徴とする閃光装置。
【請求項１３】
前記閃光装置側シンクロ端子を介して前記シンクロ端子接続確認信号を出力可能であることをカメラ側に伝達する伝達手段を有することを特徴とする請求項１２に記載の閃光装置。
【請求項１４】
閃光装置に発光開始信号を伝えるカメラ側シンクロ端子と、該カメラ側シンクロ端子を介して前記閃光装置から入力されるシンクロ端子接続確認信号を検出する検出手段と、該検出手段にて前記シンクロ端子接続確認信号が検出された場合は、前記カメラ側シンクロ端子と閃光装置側シンクロ端子の接続が正常と判定し、検出できない場合は、前記接続が異常と判定する接続状態判定手段とを備えたカメラと、
前記カメラからの発光開始信号を受ける閃光装置側シンクロ端子と、該閃光装置側シンクロ端子を介してシンクロ端子接続確認信号を出力する出力手段とを備えた閃光装置と、から構成されることを特徴とする閃光撮影システム。
【請求項１５】
前記接続状態判定手段により前記接続が異常と判定された場合、警告を行う警告手段を有することを特徴とする請求項１４に記載の閃光撮影システム。
【請求項１６】
前記カメラは、閃光装置が、当該カメラから前記閃光装置側シンクロ端子へ前記シンクロ端子接続確認信号を出力可能であるかを判定する判定手段を有し、前記カメラ側の前記検出手段は、前記判定手段が出力可能と判定した場合に、前記閃光装置からの前記シンクロ端子接続確認信号の検出を行い、
前記閃光装置は、前記閃光装置側シンクロ端子を介して前記シンクロ端子接続確認信号が出力可能である場合、その旨を前記カメラ側に伝達する伝達手段を有することを特徴とする請求項１４又は１５に記載の閃光撮影システム。
【手続補正２】
【補正対象書類名】明細書
【補正対象項目名】０００５
【補正方法】変更
【補正の内容】
【０００５】
また、請求項３、４又は５に記載の本発明は、カメラ側からの発光開始信号を受ける閃光装置側シンクロ端子と、該閃光装置側シンクロ端子を介して前記カメラから入力されるシンクロ端子接続確認信号を検出する検出手段と、該検出手段にて前記シンクロ端子接続確認信号を検出できた場合は、カメラ側シンクロ端子と前記閃光装置側シンクロ端子の接続が正常と判定し、検出できない場合は、前記接続が異常と判定する接続状態判定手段とを有する閃光装置とするものである。
【手続補正３】
【補正対象書類名】明細書
【補正対象項目名】０００６
【補正方法】変更
【補正の内容】
【０００６】
また、請求項６，７又は８に記載の本発明は、閃光装置側へ発光開始信号を伝えるカメラ側シンクロ端子と、該カメラ側シンクロ端子を介してシンクロ端子接続確認信号を出力する出力手段とを備えたカメラと、前記カメラ側からの発光開始信号を受ける閃光装置側シンクロ端子と、該閃光装置側シンクロ端子を介して前記カメラから入力されるシンクロ端子接続確認信号を検出する検出手段と、該検出手段にてシンクロ端子接続確認信号を検出できた場合は、前記カメラ側シンクロ端子と前記閃光装置側シンクロ端子の接続が正常と判定し、検出できない場合は、前記接続が異常と判定する接続状態判定手段とを備えた閃光装置と、から構成される閃光撮影システムとするものである。
【手続補正４】
【補正対象書類名】明細書
【補正対象項目名】０００７
【補正方法】変更
【補正の内容】
【０００７】
また、請求項９，１０又は１１に記載の本発明は、閃光装置に発光開始信号を伝えるカメラ側シンクロ端子と、該カメラ側シンクロ端子を介して前記閃光装置から入力されるシンクロ端子接続確認信号を検出する検出手段と、該検出手段にて前記シンクロ端子接続確認信号が検出された場合は、前記カメラ側シンクロ端子と閃光装置側シンクロ端子の接続が正常と判定し、検出できない場合は、前記接続が異常と判定する接続状態判定手段とを有するカメラとするものである。
【手続補正５】
【補正対象書類名】明細書
【補正対象項目名】０００９
【補正方法】変更
【補正の内容】
【０００９】
また、請求項１４，１５又は１６に記載の本発明は、閃光装置に発光開始信号を伝えるカメラ側シンクロ端子と、該カメラ側シンクロ端子を介して前記閃光装置から入力されるシンクロ端子接続確認信号を検出する検出手段と、該検出手段にて前記シンクロ端子接続確認信号が検出された場合は、前記カメラ側シンクロ端子と閃光装置側シンクロ端子の接続が正常と判定し、検出できない場合は、前記接続が異常と判定する接続状態判定手段とを備えたカメラと、前記カメラからの発光開始信号を受ける閃光装置側シンクロ端子と、該閃光装置側シンクロ端子を介してシンクロ端子接続確認信号を出力する出力手段とを備えた閃光装置と、から構成される閃光撮影システムとするものである。